(57)【特許請求の範囲】
【請求項１】
内部に中空部を有し、該中空部と連通する開口部を室内側面に形成したドア本体と、鋼板製の本体，天板及び底板を組み合わせて正面に開口部を有する箱体とし、少なくとも前記天板及び底板の開口端を内側に折り曲げて額縁部を形成するとゝもに、該両額縁部のほゞ中央に切欠部をそれぞれ形成し、前記箱体の後部を前記ドア本体の中空部内に埋設した収納ボックスと、前面の外周面を左右一対の円周面と中央にこの左右の円周面が合一する溝を備えた形状とし、該前面が前記収納ボックスの額縁部より前方に突出するよう前記切欠部に装着した上下一対の軸受部材と、これら軸受部材に支承される上下一対の軸部によって互いに反対方向に開閉自在とするとゝもに、各軸部の基部端面より上下端面を高く形成した左右一対の開き戸とを備えたことを特徴とする収納部付ドア。
【請求項２】
前記左右一対の開き戸を、横長方形状の薄い鋼板を中央で折り返して圧着固定するとゝもに、その自由端側に上下の端面が前記軸受部材の板厚だけ一段低い円筒部を備え、該円筒部の上下両端部にその端面より突出せしめた前記軸部の基部を固定した構成としたことを特徴とする請求項１記載の収納部付ドア。
【請求項３】
前記収納ボックスの前面部に着脱自在な収納部形成用のカバーを装着してなり、該カバーが、前記収納ボックスの横幅より少し幅狭な前面部と、該前面部の両側縁から後方に平行に折曲した側面部と、該側面部の後側縁に前記収納ボックスの左右側板部から突出する係止ピンに斜め上方から着脱自在に嵌合する斜形状の切込溝とからなる構成としたことを特徴とする請求項１又は２記載の収納部付ドア。
【発明の詳細な説明】
【０００１】
【発明の属する技術分野】
本発明は収納部付ドアに係り、更に詳しくは、ドア本体の内部空間を利用して設置した収納ボックスの開口部を覆う開き戸を、物の出し入れが容易となるよう大きく開成することができ、且つ閉成時において室内側からの景観を損なわないように前記収納ボックスの開口部の周縁部を完全に覆うことができるようにした収納部付ドアの構造に関するものである。
【０００２】
【従来の技術】
玄関等のドア本体にその内部空間を利用して収納ボックスを設置し、該収納ボックスの室内側に開口する開口部に目隠し用の扉を開閉自在に設けたこの種のドアは従来より多数開発されている。
【０００３】
【発明が解決しようとする課題】
しかし、従来の収納部付ドアにおいては、収納ボックスの扉は片側を枢軸として回転する一枚扉で構成されているため扉の回転半径が大きくなるとゝもに、収納ボックスから傘などの比較的大きな物を取り出したり、入れたりす場合には大きく開くことになる。そのため、玄関スペースが狭まい場合には物の出し入れが非常に面倒となり使い勝手が悪い。
【０００４】
また、従来の収納ボックスは比較的板厚が薄い鋼板で形成されているため、扉の枢軸を受ける軸受部分は収納ボックスから起立してヒンジを作り、該ヒンジに前記枢軸を貫通せしめる挿通孔を形成したものが大部分である。そのため、枢軸部分は構造強度の点で問題があり、扉もまた前記収納ボックスと同じ厚さの材料で作ったものを使用せざるを得なかった。したがって、重厚感に富んだ扉、すなわち、ある程度重量のある材料で作った扉を装着することは不可能であった。
【０００５】
【課題を解決するための手段】
本発明は、上記のような従来の諸問題点を解決するために成されたもので、収納ボックスの開口部に設置する扉を、狭い玄関スペースでもほゞ全開して物の出し入れを容易に行うことができるとゝもに、閉成時において収納ボックスの開口部周縁をも完全に覆って室内側からの景観を向上せしめ、且つ重量感に富んだ収納部付ドアを提供することを目的としたものであり、その要旨は、内部に中空部を有し、該中空部と連通する開口部を室内側面に形成したドア本体と、鋼板製の本体，天板及び底板を組み合わせて正面に開口部を有する箱体とし、少なくとも前記天板及び底板の開口端を内側に折り曲げて額縁部を形成するとゝもに、該両額縁部のほゞ中央に切欠部をそれぞれ形成し、前記箱体の後部を前記ドア本体の中空部内に埋設した収納ボックスと、前面の外周面を左右一対の円周面と中央にこの左右の円周面が合一する溝を備えた形状とし、該前面が前記収納ボックスの額縁部より前方に突出するよう前記切欠部に装着した上下一対の軸受部材と、これら軸受部材に支承される上下一対の軸部によって互いに反対方向に開閉自在とするとゝもに、各軸部の基部端面より上下端面を高く形成した左右一対の開き戸とを備えたことを特徴とする収納部付ドア等にある。
【０００６】
【発明の実施の形態】
以下、本発明を図面に示す一実施形態により詳細に説明すると、図中、１は鋼板製のドア本体で、図示しない玄関の開口部にヒンジ金具２，２を介して室外方向に開閉自在に装着されるものである。このドア本体１は、室外側の前面板３と室内側の後面板４とを粗い骨組５を介して対設固定し、内部に中空部６を形成したフラッシュ型構造のものであり、図中、７は汎用の把手、８はシリンダ錠等の施錠装置である。
【０００７】
９は前記ドア本体１の室内側の後面板４に形成した開口部で、ドア本体１の下方位置にあって正面視が縦長方形状のものであり、該開口部９には直方体形状に組み立てられた後述する鋼板製の収納ボックス１０が嵌合し固定されている。すなわち、前記収納ボックス１０は、図８で示すように、鋼板製の後板部１１と、該後板部１１の両側縁から同一方向に９０度折曲した左右の側板部１２とから構成した一対のボックス単体１３，１３と、鋼板製の天板１４と、底板１５とから夫々構成されている。
【０００８】
そして、前記一対のボックス単体１３，１３は、図９で示すように、互いにボックス単体１３の一方の側板部１２を接合固定して並列した後、両ボックス単体１３，１３の上面と底面とに夫々前記天板１４と底板１５とを固定して収納ボックス１０を完成する。したがって、収納ボックス１０には、中央の側板部１２，１２を仕切り壁としてその左右に２個の収納室１６，１６が夫々設けられる。なお、図中１８は、前記収納ボックス１０の開口部１７周縁に形成した内側への折り返しによる細い幅の額縁部である。
【０００９】
次いで、前記収納ボックス１０は、前記ドア本体１の開口部９にその後板部１１をドア本体１の前面板３側に向けて中空部６内に埋設状態で嵌合し、前記前面板３の裏面と収納ボックス１０の後板部１１の裏面とを接合した状態で固定される。この際、収納ボックス１０の開口部１７側は前記ドア本体１の後面板４より室内側方向にやや突出しているが、ドア本体１の開口部９の平面面積と収納ボックス１０の正面面積とは同一に設定してあるので、前記開口部９の内周縁と収納ボックス１０の外周面とは間隙が形成されることなく接合している。
【００１０】
そして、前記収納ボックス１０の左右の収納室１６，１６の開口部１７にはそれぞれ、該開口部１７を各別に開閉する開き戸１９，１９が装着されている。この開き戸１９，１９は室内側方向に開く両開き戸構成のもので、それぞれ収納ボックス１０の中央の側板部１２，１２の位置を枢軸としてそれぞれが片側に開く構造としている。
【００１１】
ここで、前記開き戸１９の構造工程を図１１及び図１２により説明すると、まず長方形状の薄い鋼板２０の左右側縁にそれぞれ円柱形の支軸２１の基部２２の半径と同一の内径に設定した半円筒形の溝２３を形成する。ここで、前記半円筒形の溝２３の上下の端面２３ａは、前記鋼板２０の上下の端面２０ａより後述する軸受部材２４の高さだけ低く設定してある。なお、この鋼板２０の大きさは、高さが前記収納ボックス１０の高さと同一で、横幅が収納室１６の横幅の２倍より少し長い大きさである。
【００１２】
次いで、前記長方形の鋼板２０の長手方向の中央の対称軸で折り返して左右の鋼板を接合圧着し、固定することにより開き戸１９が形成される。また、前記左右の半円筒形状の溝２３，２３は接合により円筒部２５に形成され、該円筒部２５の内径は支軸２１の基部２２の外径と同一になる。そして、前記円筒部２５の上下の端面２５ａは前記開き戸１９の上下の端面２０ａより軸受部材２４の高さだけ低くなっている。なお、図中、２６は開き戸１９の把手である。
【００１３】
そして、前記開き戸１９の円筒部２５の上下端には、前記支軸２１の基部２２を挿入固定する。この際、該基部２２の上面２２ａと円筒部２５の端面２５ａとは面一となるように挿入固定して、円筒部２５の端面２５ａから支軸２２の軸部２７が突出するように固定する。
【００１４】
前記軸受部材２４は、図１３に示すように、後方が長方形状で、その横幅は前記一対の開き戸１９，１９の両円筒部２５，２５の合計直径と同一であり、前方は後述のように２個の半円形が隣接した形状となっている。そして、前記軸受部材２４の前方の下面には、前記左右の開き戸１９の支軸２１の軸部２７が挿入される軸孔２８が並列に形成されている。また、前記軸受部材２４の前方側の外周面は前記軸孔２８と同心円の円周面２９で形成され、この左右の円周面２９，２９の合一する中央は溝３０となっている。
【００１５】
そこで、前記軸受部材２４を、収納ボックス１０の中央の側板部１２位置にあって上下の額縁部１８に開口した切欠部１８ａより後方部を没入するとゝもに、その前方部が前記額縁部１８より突出した状態で固定する。この際、前記上下に配置した軸受部材２４はその軸孔２８，２８が前記左右の開き戸１９，１９の支軸２１の軸部２７，２７とそれぞれ対面するように固定すること勿論である。
【００１６】
そして、前記上下の軸受部材２４の左右の軸孔２８にはそれぞれ、前記左右の開き戸１９，１９の支軸２１の軸部２７が回転自在に挿入され、収納室１６を閉塞することができる。この際、開き戸１９はその円筒部２５が軸受部材２４高さ相当に低くなっているので、開き戸１９の円筒部２５側の端縁１９ａが前記軸受部材２４の円周面２９に衝当することなく円滑に開閉することができる。
【００１７】
また、開き戸１９を大きく開いた場合には、開き戸１９の端縁１９ａが前記軸受部材２４の前面の溝３０に侵入するので、各開き戸１９は支障なく９０度以上大きく開くことができる。なお、図示しないが、前記収納室１６および開き戸１９には、閉成時に不用意に開成しないようにマグネットキャッチャ等の仮止め器具が設けられている。
【００１８】
前記収納ボックス１０の左右の収納室１６，１６には、傘，レインコート，靴類，スリッパ，清掃用具など各種物品を整然と収納できるように、棚やハンガーを掛けるバー、引き出し等を任意に設けることができる。実施例においては、一方の収納室１６にカバー３１によって形成された傘収納部３２が設けてあり、該カバー３１の上部空間部３３から傘Ａを出入れするようになっている。
【００１９】
ここで、前記カバー３１は傘Ａの全長より低い高さで、収納室１６の横幅より少し幅狭な前面部３４と、該前面部３４の両側縁から後方に平行に折曲した側面部３５，３５とから構成されている。そして、前記側面部３５の後側縁には、収納室１６の左右側板部１２から突出する係止ピン３６に斜め上方から嵌合する斜形状の切込溝３７が形成されている。また、前記前記傘収納部３２のカバー３１の下部には、傘Ａに付着した雨滴等を受ける雨水受３９が出し入れ自在に設けられている。
【００２０】
４０は他方の収納室１６の上部に設けた靴磨き道具等を収納する引き出しであり、４１はパンチングメタルで形成したスリッパ等の小物入れで、該小物入４１はフック４２で収納室１６に横架固定されたバー４３に引っ掛ける構造としている。４４も前記傘収納部３２のカバー３１と同一構造のカバーで、高さが短いだけの相違がある。なお、前記実施例では、左右の収納室１６の横幅は同一幅であるが、その横幅を異なるように設定してもよいし、収納ボックス１０全体を一つの収納室に形成してもよい。
【００２１】
【発明の効果】
本発明に係る収納部付ドアは上記のような構成からなるものであるから、狭い玄関スペースでも開き戸をほゞ全開して物の出し入れができ、使い勝手が向上するとゝもに、開き戸の閉成時において収納ボックスの開口部の額縁部は開き戸によって完全に覆われるため、室内側からの景観が一段と向上する。また、開き戸の軸部を支える軸受部材を鋼板からなる収納ボックスとは別部材からなる構造強度の大きい材料で形成することができる。したがって、開き戸の形成部材も板厚が大きく、或いは又全重量が大きいものを使用することができ、重量感に富んだ収納部付ドアを提供できる、といった諸効果がある。
【図面の簡単な説明】
【図１】本発明に係る収納部付ドアの全体斜視図である。
【図２】同収納部付ドアの要部拡大縦断面図である。
【図３】同ドアにおける収納ボックスの開き戸を取外した状態の正面図である。
【図４】図３のIIーII線断面図である。
【図５】図３のIII ーIII 線断面図である。
【図６】収納ボックス内に取付ける前カバーと雨水受けの斜視図である。
【図７】収納ボックス内に取付ける他の整理部品の斜視図である。
【図８】収納ボックスの構成部材の斜視図である。
【図９】収納ボックスの組立完了斜視図である。
【図１０】収納ボックスの開き戸の斜視図である。
【図１１】同開き戸の形成途中の斜視図である。
【図１２】同開き戸の形成完了時の斜視図である。
【図１３】軸受部材の一部を切除した斜視図である。
【図１４】収納ボックスへ開き戸を装着する状態を示す拡大図である。
【図１５】同開き戸の開閉状態を示す説明図である。
【符号の説明】
１  ドア本体
６  中空部
９  開口部
１０  収納ボックス
１２  側板部
１３  ボックス単体
１４  天板
１５  底板
１７  開口部
１８  額縁部
１８ａ  切欠部
１９  開き戸
１９ａ  端縁
２０  鋼板
２０ａ  端面
２２  基部
２４  軸受部材
２５  円筒部
２５ａ  端面
２７  軸部
２９  円周面
３０  溝
３１  カバー
３４  前面部
３５  側面部
３７  切込溝
【図１】
0003550382.tif 000002
【図２】
0003550382.tif 000003
【図３】
0003550382.tif 000004
【図４】
0003550382.tif 000005
【図５】
0003550382.tif 000006
【図６】
0003550382.tif 000007
【図７】
0003550382.tif 000008
【図８】
0003550382.tif 000009
【図９】
0003550382.tif 000010
【図１０】
0003550382.tif 000011
【図１１】
0003550382.tif 000012
【図１２】
0003550382.tif 000013
【図１３】
0003550382.tif 000014
【図１４】
0003550382.tif 000015
【図１５】
0003550382.tif 000016